(57)【要約】波形品質測定方法および装置を説明する。時間とコードの両者においてチャンネル化された波形を表す実際の信号が、例えば例示的なＨＤＲ通信システムにより発生される。試験装置は実際の波形に対応する理想的な波形を発生する。その後、試験装置は実際の波形と理想的な波形のパラメータ間のオフセットの評価値を発生し、実際の波形を補償するためにこのオフセットを使用する。試験装置はその後、補償された実際の波形品質測定を使用して種々の波形品質測定を評価し、また、試験装置によって実際の波形および対応する理想的な波形を処理する概念的および実際的な例が開示されている。説明した方法および装置は波形を発生した装置にかかわりなく時間とコードの両者においてチャンネル化された任意の波形に拡張されてもよい。【選択図】図３
2004537874.tif 000002
【特許請求の範囲】
【請求項１】
理想的な信号に関する実際の信号のパラメータの複数のオフセットを生成し、
補償された実際の信号を発生するために複数のオフセットによって実際の信号を補償し、
濾波された信号を発生するために補償された実際の信号を濾波し、
変更された信号を発生するために濾波された信号に対応するように理想的な信号を変更し、
変更された理想的な信号と濾波された信号とにしたがって波形品質測定を決定するステップを含んでいる波形品質測定を決定する方法。
【請求項２】
与えられる複数のオフセットには周波数オフセット、時間オフセット、位相オフセットが含まれている請求項１記載の方法。
【請求項３】
複数のオフセットによる実際の信号の補償は、次式にしたがって行われ、
【数１】
2004537874.tif 000020
ここで、ｙ（ｔ）は補償された実際の信号であり、
ｘ（ｔ）は実際の信号であり、
ｔは時間であり、
ｊは仮想ユニットであり、
Δ＾ωは周波数オフセットであり、
＾τ０ は時間オフセットであり、
＾θ０ は位相オフセットである請求項１記載の方法。
【請求項４】
濾波は、濾波されるインターバル中ではゼロであり、他ではゼロではない値に、補償された実際の信号を割当てることを含んでいる請求項１記載の方法。
【請求項５】
濾波は、補償された実際の信号を実際の信号の基本ユニットにわたってゼロではない値に割当てることを含んでいる請求項４記載の方法。
【請求項６】
補償された実際の信号値の割当ては、
濾波されるインターバル中ではゼロであり、他ではゼロではない値を有する関数を規定し、
補償された実際の信号をその関数により乗算することを含んでいる請求項４記載の方法。
【請求項７】
関数の規定は実際の信号の基本ユニットにわたってゼロではない値を有する関数を規定することを含んでいる請求項６記載の方法。
【請求項８】
理想的な信号の変更は、濾波された信号がゼロ値を有するインターバルではゼロ値を有しその他の場合にはゼロではない値を有するように変更された理想的な信号を発生することを含んでいる請求項１記載の方法。
【請求項９】
理想的な信号の変更は、濾波された信号がゼロ値を有するインターバルではゼロであり、その他の場合にはゼロではない値を理想的な信号に割当てることを含んでいる請求項１記載の方法。
【請求項１０】
理想的な信号に値を割当てるステップは、
濾波された信号がゼロ値を有するインターバルではゼロであり、その他の場合にはゼロではない値で関数を規定し、
補償された実際の信号をその関数により乗算するステップを含んでいる請求項９記載の方法。
【請求項１１】
波形品質の決定は、第１の全体的な変調正確度の計算を含んでいる請求項５記載の方法。
【請求項１２】
第１の変調正確度の計算は次式にしたがって計算され、
【数２】
2004537874.tif 000021
ここで、ρｏｖｅｒａｌｌ−１ は第１の全体的な変調正確度であり、
ｊは信号の基本ユニットを指定するインデックスであり、
Ｎは基本ユニットの数を指定する加算限度であり、
ｋは基本ユニットの１サンプルを指定するインデックスであり、
Ｍは基本ユニットのサンプル数を指定する加算限度であり、
Ｚｊ，ｋ ＝ｚ［Ｍ（ｊ−１）＋ｋ］は濾波された信号のｊ番目の基本ユニットのｋ番目のサンプルであり、
Ｒｊ，ｋ ＝ｒ［Ｍ（ｊ−１）＋ｋ］は理想的な信号のｊ番目の基本ユニットのｋ番目のサンプルである請求項１１記載の方法。
【請求項１３】
さらに第２の全体的な変調正確度を計算することを含んでいる請求項１１記載の方法。
【請求項１４】
第２の変調正確度の計算は次式にしたがって計算され、
【数３】
2004537874.tif 000022
ここで、ρｏｖｅｒａｌｌ−２ は第２の変調正確度であり、
ｊは信号の基本ユニットを指定するインデックスであり、
Ｎは基本ユニットの数を指定する加算限度であり、
ｋは基本ユニットの１サンプルを指定するインデックスであり、
Ｍは基本ユニットのサンプル数を指定する加算限度であり、
Ｚｊ，ｋ ＝ｚ［（Ｍ＋（Ｍ／２）＋１）・（ｊ−１）＋ｋ］は濾波された信号のｊ番目の基本ユニットのｋ番目のサンプルであり、
Ｒｊ，ｋ ＝ｒ［（Ｍ＋（Ｍ／２）＋１）・（ｊ−１）＋ｋ］は理想的な信号のｊ番目の基本ユニットのｋ番目のサンプルである請求項１３記載の方法。
【請求項１５】
波形品質の決定は、時分割チャンネルの変調正確度の計算を含んでいる請求項４記載の方法。
【請求項１６】
時分割チャンネルの変調正確度の計算は次式にしたがった計算を含み、
【数４】
2004537874.tif 000023
ここで、ρＴＤＭ  ｃｈａｎｎｎｅｌ，ｉは時分割チャンネルＴＤ チャンネルの変調正確度であり、
ｊは信号の基本ユニットを指定するインデックスであり、
Ｎは基本ユニット数を指定した加算限度であり、
ｋは基本ユニットの１サンプルを指定したインデックスであり、
Ｍは基本ユニットのサンプル数を指定する加算限度であり、
Ｚｊ，ｋ ＝ｚ［Ｍ（ｊ−１）＋ｋ］は濾波された信号のｊ番目の基本ユニットのｋ番目のサンプルであり、
Ｒ’ ｉ，ｊ，ｋ ＝Ｒ’ ｉ ［Ｍ（ｊ−１）＋ｋ］は理想的な信号のｊ番目の基本ユニットのｋ番目のサンプルである請求項１５記載の方法。
【請求項１７】
波形品質測定の決定はコードドメインパワー係数の計算を含んでいる請求項４記載の方法。
【請求項１８】
コードドメインパワー係数の計算は次式にしたがった計算を含み、
【数５】
2004537874.tif 000024
ここで、ρＴＤＭ  ｃｈａｎｎｎｅｌ，ｉは時分割チャンネルＴＤＭ チャンネルおよびコードチャンネルｉのコードドメイン係数であり、
ｗ１ は時分割チャンネルＴＤＭ チャンネルに対する第１のコードチャンネルであり、
ｗＶ は時分割チャンネルＴＤＭ チャンネルに対する最後のコードチャンネルであり、
ｊは信号の基本ユニットを指定するインデックスであり、
Ｎは基本ユニット数を指定した加算限度であり、
ｋは基本ユニットの１サンプルを指定したインデックスであり、
Ｍは基本ユニットのサンプル数を指定する加算限度であり、
Ｚｊ，ｋ ＝ｚ［Ｍ（ｊ−１）＋ｋ］は濾波された信号のｊ番目の基本ユニットのｋ番目のサンプルであり、
Ｒ’ ｉ，ｊ，ｋ ＝Ｒ’ ｉ ［Ｍ（ｊ−１）＋ｋ］は理想的な信号のｉ番目のコードチャンネルのｊ番目の基本ユニットのｋ番目のサンプルである請求項１７記載の方法。
【請求項１９】
理想的な信号に関して実際の信号のパラメータの複数のオフセットを与えるように構成された第１の手段と、
補償された実際の信号を発生するために複数のオフセットで実際の信号を補償するように構成された第２の手段と、
濾波された信号を発生するために補償された実際の信号を濾波するように構成された第３の手段と、、
変更された信号を発生するために濾波された信号に対応するように理想的な信号を変更するように構成されている第４の手段と、
変更された理想的な信号および濾波された信号にしたがって波形品質測定を決定するように構成された第５の手段とを具備している波形品質測定を決定する装置。
【請求項２０】
第１の手段、第２の手段、第３の手段、第４の手段、第５の手段は試験装置を構成している請求項１９記載の装置。
【請求項２１】
第１の手段は周波数オフセット、時間オフセット、位相オフセットを与えるように構成されることによって複数のオフセットを生成している請求項１９記載の装置。
【請求項２２】
第２の手段は次式を評価するように構成されることによって複数のオフセットにより実際の信号を補償し、
【数６】
2004537874.tif 000025
ここで、ｙ（ｔ）は補償された実際の信号であり、
ｘ（ｔ）は実際の信号であり、
ｔは時間であり、
ｊは仮想ユニットであり、
Δ＾ωは周波数オフセットであり、
＾τ０ は時間オフセットであり、
＾θ０ は位相オフセットである請求項１９記載の装置。
【請求項２３】
第３の手段は、濾波されるインターバル中ではゼロであり、その他の期間にはゼロではない値に、補償された実際の信号を割当てるように構成されることによって濾波する請求項１９記載の装置。
【請求項２４】
第３の手段は、補償された実際の信号を実際の信号の基本ユニットにわたってはゼロではない値に割当てるように構成されることによって濾波する請求項２３記載の装置。
【請求項２５】
第３の手段は以下のように構成されることによる値を補償された実際の信号値を値に割当て、
濾波されたインターバルではゼロであり、他ではゼロではない値に、関数を規定し、
補償された実際の信号をその関数により乗算する請求項２３記載の装置。
【請求項２６】
第３の手段は、実際の信号の基本ユニットでゼロではない値に関数を規定するように構成されることによって関数を規定する請求項２５記載の装置。
【請求項２７】
第４の手段は、濾波された信号がゼロ値を有するインターバルではゼロ値を有し、その他の場合にはゼロではない値を有するように変更された理想的な信号を発生するように構成されることによって理想的な信号を変更する請求項１９記載の装置。
【請求項２８】
第４の手段は、濾波された信号がゼロ値を有するインターバルではゼロであり、その他の場合にはゼロではない値を理想的な信号に割当てるように構成されることによって理想的な信号を変更する請求項１９記載の装置。
【請求項２９】
第４の手段は、
濾波された信号がゼロ値を有するインターバルではゼロであり、その他の場合にはゼロではない値で関数を規定し、
補償された実際の信号をその関数により乗算することによって理想的な信号に値を割当てる請求項２８記載の装置。
【請求項３０】
第５の手段は、第１の全体的な変調正確度を計算するように構成されることによって波形品質を決定する請求項２４記載の装置。
【請求項３１】
第５の手段は、計算が次式にしたがって評価されるように構成されることによって第１の変調正確度を計算し、
【数７】
2004537874.tif 000026
ここで、ρｏｖｅｒａｌｌ−１ は第１の全体的な変調正確度であり、
ｊは信号の基本ユニットを指定するインデックスであり、
Ｎは基本ユニットの数を指定する加算限度であり、
ｋは基本ユニットの１サンプルを指定するインデックスであり、
Ｍは基本ユニットのサンプル数を指定する加算限度であり、
Ｚｊ，ｋ ＝ｚ［Ｍ（ｊ−１）＋ｋ］は濾波された信号のｊ番目の基本ユニットのｋ番目のサンプルであり、
Ｒｊ，ｋ ＝ｒ［Ｍ（ｊ−１）＋ｋ］は理想的な信号のｊ番目の基本ユニットのｋ番目のサンプルである請求項３０記載の装置。
【請求項３２】
第５の手段は第２の全体的な変調正確度を計算するようにさらに構成されている請求項３０記載の装置。
【請求項３３】
第５の手段は次式を評価するように構成されることによって第２の変調正確度を計算し、
【数８】
2004537874.tif 000027
ここで、ρｏｖｅｒａｌｌ−２ は第２の変調正確度であり、
ｊは信号の基本ユニットを指定するインデックスであり、
Ｎは基本ユニットの数を指定する加算限度であり、
ｋは基本ユニットの１サンプルを指定するインデックスであり、
Ｍは基本ユニットのサンプル数を指定する加算限度であり、
Ｚｊ，ｋ ＝ｚ［（Ｍ＋（Ｍ／２）＋１）・（ｊ−１）＋ｋ］は濾波された信号のｊ番目の基本ユニットのｋ番目のサンプルであり、
Ｒｊ，ｋ ＝ｒ［（Ｍ＋（Ｍ／２）＋１）・（ｊ−１）＋ｋ］は理想的な信号のｊ番目の基本ユニットのｋ番目のサンプルである請求項３２記載の装置。
【請求項３４】
第５の手段は時分割チャンネルの変調正確度を計算するように構成されることにより波形品質を決定する請求項２３記載の装置。
【請求項３５】
第５の手段は、次式を評価するように構成されることによって時分割チャンネルの変調正確度を計算し、
【数９】
2004537874.tif 000028
ここで、ρＴＤＭ  ｃｈａｎｎｎｅｌ，ｉは時分割チャンネルＴＤＭ チャンネルの変調正確度であり、
ｊは信号の基本ユニットを指定するインデックスであり、
Ｎは基本ユニット数を指定した加算限度であり、
ｋは基本ユニットの１サンプルを指定したインデックスであり、
Ｍは基本ユニットのサンプル数を指定する加算限度であり、
Ｚｊ，ｋ ＝ｚ［Ｍ（ｊ−１）＋ｋ］は濾波された信号のｊ番目の基本ユニットのｋ番目のサンプルであり、
Ｒ’ ｉ，ｊ，ｋ ＝Ｒ’ ｉ ［Ｍ（ｊ−１）＋ｋ］は理想的な信号のｊ番目の基本ユニットのｋ番目のサンプルである請求項３４記載の装置。
【請求項３６】
第５の手段はコードドメインパワー係数を計算するように構成されることによって波形品質測定を決定する請求項２３記載の装置。
【請求項３７】
第５の手段は、次式を評価するように構成されることによってコードドメインパワー係数を計算し、
【数１０】
2004537874.tif 000029
ここで、ρＴＤＭ  ｃｈａｎｎｎｅｌ，ｉは時分割チャンネルＴＤＭ チャンネルとコードチャンネルｉのコードドメイン係数であり、
ｗ１ は時分割チャンネルＴＤＭ チャンネルの第１のコードチャンネルであり、
ｗＶ は時分割チャンネルＴＤＭ チャンネルの最後のコードチャンネルであり、
ｊは信号の基本ユニットを指定するインデックスであり、
Ｎは基本ユニット数を指定した加算限度であり、
ｋは基本ユニットの１サンプルを指定したインデックスであり、
Ｍは基本ユニットのサンプル数を指定する加算限度であり、
Ｚｊ，ｋ ＝ｚ［Ｍ（ｊ−１）＋ｋ］は濾波された信号のｊ番目の基本ユニットのｋ番目のサンプルであり、
Ｒ’ ｉ，ｊ，ｋ ＝Ｒ’ ｉ ［Ｍ（ｊ−１）＋ｋ］は理想的な信号のｉ番目のコードチャンネルのｊ番目の基本ユニットのｋ番目のサンプルである請求項３６記載の装置。
【請求項３８】
プロセッサと、
プロセッサに結合され、プロセッサにより実行される１組の命令を含んでいる記憶媒体とを具備し、それによって、
理想的な信号に関して実際の信号のパラメータの複数のオフセットを与え、
補償された実際の信号を発生するために複数のオフセットによって実際の信号を補償し、
濾波された信号を発生するために補償された実際の信号を濾波し、
変更された信号を発生するために濾波された信号に対応するように理想的な信号を変更し、
変更された理想的な信号および濾波された信号にしたがって波形品質測定を決定する波形品質測定を決定する装置。
【請求項３９】
プロセッサは周波数オフセット、時間オフセット、位相オフセットを与えるために命令を実行することによって複数のオフセットを与える請求項３８記載の装置。
【請求項４０】
プロセッサは以下の命令を実行することにより複数のオフセットで実際の信号を補償し、
【数１１】
2004537874.tif 000030
ここで、ｙ（ｔ）は補償された実際の信号であり、
ｘ（ｔ）は実際の信号であり、
ｔは時間であり、
ｊは仮想ユニットであり、
Δ＾ωは周波数オフセットであり、
＾τ０ は時間オフセットであり、
＾θ０ は位相オフセットである請求項３８記載の装置。
【請求項４１】
プロセッサは、濾波されるインターバルではゼロであり、他ではゼロではない値に、補償された実際の信号を割当てる命令を実行することにより濾波する請求項３８記載の装置。
【請求項４２】
プロセッサは、補償された実際の信号を実際の信号の基本ユニットではゼロではない値に割当てる命令を実行することによって濾波する請求項４１記載の装置。
【請求項４３】
プロセッサは以下の命令を実行することによって補償された実際の信号に値を割当て、
濾波されるインターバルではゼロであり、他ではゼロではない値に、関数を規定し、
補償された実際の信号をその関数により乗算する請求項４１記載の装置。
【請求項４４】
プロセッサは、実際の信号の基本ユニットでゼロではない値に関数を規定する命令を実行することによって関数を規定する請求項４３記載の装置。
【請求項４５】
プロセッサは、濾波された信号がゼロ値を有するインターバルではゼロ値を有しその他の場合にはゼロではない値を有するように変更された理想的な信号を発生する命令を実行することによって理想的な信号を変更する請求項３８記載の装置。
【請求項４６】
プロセッサは、濾波された信号がゼロ値を有するインターバルではゼロであり、その他の場合にはゼロではない値を理想的な信号に割当てる命令を実行することによって理想的な信号を変更する請求項３８記載の装置。
【請求項４７】
プロセッサは、以下の命令を実行することによって理想的な信号に値を割当て、
濾波された信号がゼロ値を有するインターバルではゼロであり、その他の場合にはゼロではない値を有する関数を規定し、
補償された実際の信号をその関数により乗算する請求項４６記載の装置。
【請求項４８】
プロセッサは、第１の全体的な変調正確度を計算する命令を実行することによって波形品質を決定する請求項４２記載の装置。
【請求項４９】
プロセッサは、次式を評価する命令を実行することによって第１の変調正確度を計算し、
【数１２】
2004537874.tif 000031
ここで、ρｏｖｅｒａｌｌ−１ は第１の全体的な変調正確度であり、
ｊは信号の基本ユニットを指定するインデックスであり、
Ｎは基本ユニットの数を指定する加算限度であり、
ｋは基本ユニットの１サンプルを指定するインデックスであり、
Ｍは基本ユニットのサンプル数を指定する加算限度であり、
Ｚｊ，ｋ ＝ｚ［Ｍ（ｊ−１）＋ｋ］は濾波された信号のｊ番目の基本ユニットのｋ番目のサンプルであり、
Ｒｊ，ｋ ＝ｒ［Ｍ（ｊ−１）＋ｋ］は理想的な信号のｊ番目の基本ユニットのｋ番目のサンプルである請求項４８記載の装置。
【請求項５０】
プロセッサは第２の全体的な変調正確度を計算する命令を実行するようにさらに構成されている請求項４８記載の装置。
【請求項５１】
プロセッサは次式を評価する命令を実行することにより第２の変調正確度を計算し、
【数１３】
2004537874.tif 000032
ここで、ρｏｖｅｒａｌｌ−２ は第２の変調正確度であり、
ｊは信号の基本ユニットを指定するインデックスであり、
Ｎは基本ユニットの数を指定する加算限度であり、
ｋは基本ユニットの１サンプルを指定するインデックスであり、
Ｍは基本ユニットのサンプル数を指定する加算限度であり、
Ｚｊ，ｋ ＝ｚ［（Ｍ＋（Ｍ／２）＋１）・（ｊ−１）＋ｋ］は濾波された信号のｊ番目の基本ユニットのｋ番目のサンプルであり、
Ｒｊ，ｋ ＝ｒ［（Ｍ＋（Ｍ／２）＋１）・（ｊ−１）＋ｋ］は理想的な信号のｊ番目の基本ユニットのｋ番目のサンプルである請求項５０記載の装置。
【請求項５２】
プロセッサは時分割チャンネルの変調正確度を計算する命令を実行することにより波形品質を決定する請求項４１記載の装置。
【請求項５３】
プロセッサは、次式を評価する命令を実行することによって時分割チャンネルの変調正確度を計算し、
【数１４】
2004537874.tif 000033
ここで、ρＴＤＭ  ｃｈａｎｎｎｅｌ，ｉは時分割チャンネルＴＤＭ チャンネルの変調正確度であり、
ｊは信号の基本ユニットを指定するインデックスであり、
Ｎは基本ユニット数を指定した加算限度であり、
ｋは基本ユニットの１サンプルを指定したインデックスであり、
Ｍは基本ユニットのサンプル数を指定する加算限度であり、
Ｚｊ，ｋ ＝ｚ［Ｍ（ｊ−１）＋ｋ］は濾波された信号のｊ番目の基本ユニットのｋ番目のサンプルであり、
Ｒ’ ｉ，ｊ，ｋ ＝Ｒ’ ｉ ［Ｍ（ｊ−１）＋ｋ］は理想的な信号のｊ番目の基本ユニットのｋ番目のサンプルである請求項５２記載の装置。
【請求項５４】
プロセッサはコードドメインパワー係数を計算する命令を実行することによって波形品質測定を決定する請求項４１記載の装置。
【請求項５５】
プロセッサは、次式を評価する命令を実行することによってコードドメインパワー係数を計算し、
【数１５】
2004537874.tif 000034
ここで、ρＴＤＭ  ｃｈａｎｎｎｅｌ，ｉは時分割チャンネルＴＤＭ チャンネルおよびコードチャンネルｉのコードドメイン係数であり、
ｗ１ は時分割チャンネルＴＤＭ チャンネルの第１のコードチャンネルであり、
ｗＶ は時分割チャンネルＴＤＭ チャンネルの最後のコードチャンネルであり、
ｊは信号の基本ユニットを指定するインデックスであり、
Ｎは基本ユニット数を指定した加算限度であり、
ｋは基本ユニットの１サンプルを指定したインデックスであり、
Ｍは基本ユニットのサンプル数を指定する加算限度であり、
Ｚｊ，ｋ ＝ｚ［Ｍ（ｊ−１）＋ｋ］は濾波された信号のｊ番目の基本ユニットのｋ番目のサンプルであり、
Ｒ’ ｉ，ｊ，ｋ ＝Ｒ’ ｉ ［Ｍ（ｊ−１）＋ｋ］は理想的な信号のｉ番目のコードチャンネルのｊ番目の基本ユニットのｋ番目のサンプルである請求項５４記載の装置。
【発明の詳細な説明】
【０００１】
【発明の属する技術分野】
本発明は、品質保証に関し、特に波形品質測定方法および装置に関する。
【０００２】
【従来の技術】
最近、通信システムはオリジナル局から物理的に異なる目的地局への信号送信を可能にするために開発されている。通信リンクによるオリジナル局からの信号送信では、信号は最初に通信リンク上で効率よく送信されるのに適した形態に変換される。ここで使用するように、通信リンクは信号が送信されるメディアを具備している。信号の変換または変調は結果的に変調された搬送波のスペクトルが通信リンク帯域幅内にあるように信号にしたがって搬送波のパラメータを変化することを含んでいる。目的地局で、オリジナル信号は通信リンクによって受信された変調された搬送波のバージョンから複製される。このような複製は通常、オリジナル局により使用される変調プロセスの逆を使用して行われる。
【０００３】
変調はまた多元アクセス、即ち共通の通信リンク上で幾つかの信号を同時に送信および／または受信することを容易にする。多元アクセス通信システムはしばしば共通の通信リンクに対する連続的なアクセスではなく比較的短期間の断続的なサービスを必要とする複数の遠隔加入者装置を含んでいる。時分割多元アクセス（ＴＤＭＡ）、周波数分割多元アクセス（ＦＤＭＡ）、振幅変調（ＡＭ）のような幾つかの多元アクセス技術が技術で知られている。別のタイプの多元アクセス技術は以後ＩＳ−９５標準と呼ぶ“ＴＩＡ／ＥＩＡ／ＩＳ−９５  Ｍｏｂｉｌｅ Ｓｔａｔｉｏｎ−Ｂａｓｅ Ｓｔａｔｉｏｎ Ｃｏｍｐａｔｉｂｉｌｉｔｙ Ｓｔａｎｄａｒｄ ｆｏｒ Ｄｕａｌ−Ｍｏｄｅ Ｗｉｄｅ−Ｂａｎｄ Ｓｐｒｅａｄ Ｓｐｅｃｔｒｕｍ Ｃｅｌｌｕｌａｒ Ｓｙｓｔｅｍ”に準じるコード分割多元アクセス（ＣＤＭＡ）拡散スペクトルシステムである。多元アクセス通信システムでのＣＤＭＡ技術の使用は米国特許第４，９０１，３０７ 号明細書（発明の名称“ＳＰＲＥＡＤ ＳＰＥＣＴＲＵＭ ＭＵＬＴＩＰＬＥ−ＡＣＣＥＳＳ ＣＯＭＭＵＮＩＣＡＴＩＯＮ ＳＹＳＴＥＭ ＵＳＩＮＧ ＳＡＴＥＬＬＩＴＥ ＯＲ ＴＥＲＲＥＳＴＲＩＡＬ ＲＥＰＥＡＴＥＲＳ ”）と、米国特許第５，１０３，４５９ 号明細書（“ＳＹＳＴＥＭ ＡＮＤ ＭＥＴＨＯＤ ＦＯＲ ＧＥＮＥＲＡＴＩＮＧ ＷＡＶＥＦＯＲＭＳ ＩＮ Ａ ＣＤＭＡ ＣＥＬＬＵＬＡＲ ＴＥＬＥＰＨＯＮＥ ＳＹＳＴＥＭ”）に記載されており、これらは本出願人に譲渡され、ここで参考文献とされる。
【０００４】
【発明が解決しようとする課題】
図１はＩＳ−９５標準にしたがったコード分割通信システムの１実施形態の理想的な波形１００ を示している。この明細書の目的に対しては、波形は波、パルスまたは転移の明示、表示または視覚化である。理想化された波形１００ はカバーコードにより相互に弁別される並列なチャンネル１０２ を含んでいる。ＩＳ−９５標準にしたがった通信システムのカバーコードはウォルシュコードを含んでいる。理想的な波形１００ はその後、直交拡散され、ベースバンド濾波され、搬送波周波数で上方変換される。結果的に変調された波形１００ は次式のように表される。
【数１６】
2004537874.tif 000003
ここで、ωｃ は波形の公称上の搬送波角周波数であり、
ｉはコードチャンネル合計のインデックスであり、
Ｒｉ （ｔ）は理想的なｉ番目のコードチャンネルの複素数エンベロープである。装置、例えばコード分割通信システムの送信機は理想的な波形とは異なる実際の波形ｘ（ｔ）を発生する。このような実際の波形ｘ（ｔ）は次式のように表される。
【数１７】
2004537874.tif 000004
ここで、ｂｉ はｉ番目のコードチャンネルの理想的な波形に関する理想的な波形の振幅であり、
τｉ はｉ番目のコードチャンネルの理想的な波形に関する理想的な波形の時間オフセットであり、
Δωは信号のラジアン周波数オフセットであり、
θｉ はｉ番目のコードチャンネルの理想的な波形に関する理想的な波形の位相オフセットであり、
Ｅｉ （ｔ）はｉ番目のコードチャンネルの実際の送信信号のエラー（理想からの偏差）の複素数エンベロープである。
【０００５】
理想的な波形ｓ（ｔ）と実際の波形ｘ（ｔ）との差は周波数許容度、パイロット時間許容度、波形の競合性に関して測定される。このような測定を実行する１方法は、送信機がコードチャンネルにより変調されるとき、理想的な波形ｓ（ｔ）と相関する実際の波形ｘ（ｔ）のパワーのフラクションとして規定される変調の正確度を決定することである。変調の正確度は以下の式３のように表される。
【数１８】
2004537874.tif 000005
ここで、Ｔ１ は積分時間の開始時間であり、
Ｔ２ は積分時間の終了時間である。
【０００６】
ディスクリートな時間システムでは、ｓ（ｔ）とｘ（ｔ）は理想的なサンプル点ｔｋ でサンプルされ、式３は以下のように書かれる。
【数１９】
2004537874.tif 000006
ここで、Ｘｋ ＝ｘ［ｋ］＝ｘ（ｔｋ ）は実際の波形のｋ番目のサンプルであり、Ｓｋ ＝ｓ［ｋ］＝ｓ（ｔｋ ）は理想的波形の対応するｋ番目のサンプルである。
【０００７】
多元アクセス通信システムは音声および／またはデータを伝播することができる。音声とデータの両者を伝送する通信システムの１例はＩＳ−９５標準にしたがったシステムであり、これは通信リンクによる音声およびデータの送信を特定する。固定した寸法のコードチャンネルフレームでデータを送信する方法は米国特許第５，５０４，７７３ 号明細書（発明の名称“ＭＥＴＨＯＤ ＡＮＤ ＡＰＰＡＲＡＴＵＳ ＦＯＲ ＴＨＥ ＦＯＲＭＡＴＴＩＮＧ ＯＦ ＤＡＴＡ ＦＯＲ ＴＲＡＮＳＭＩＳＳＩＯＮ”）に詳細に記載され、これは本出願人に譲渡され、ここで参考文献とされる。ＩＳ−９５標準にしたがって、データまたは音声は１４．４Ｋｂｐｓ程度の高さのデータレートを有する２０ミリ秒の幅のコードチャンネルフレームに区分される。音声とデータの両者を伝送する通信システムのさらに別の例は文書番号第３Ｇ ＴＳ ２５．２１１、３Ｇ ＴＳ ２５．２１２、３Ｇ ＴＳ ２５．２１３、３Ｇ ＴＳ ２５．２１４ （Ｗ−ＣＤＭＡ標準） ”または“ＴＲ−４５．５ Ｐｈｙｓｉｃａｌ Ｌａｙｅｒ Ｓｔａｎｄａｒｄ ｆｏｒ ｃｄｍａ２０００ Ｓｐｒｅａｄ Ｓｐｅｃｔｒｕｍ Ｓｙｓｔｅｍｓ （ＩＳ−２０００ 標準） ”を含む文献のセットに記載されている“３ｒｄ Ｇｅｎｅｒａｔｉｏｎ Ｐａｒｔｎｅｒｓｈｉｐ Ｐｒｏｊｅｃｔ （３ＧＰＰ） ”に準じる通信システムを具備している。このような通信システムは前述したものと類似する波形を使用する。
【０００８】
最近、高いデータレート（ＨＤＲ）送信のためのデータ専用の通信システムが開発されている。このような通信システムは米国特許出願第０８／９６３，３８６号明細書（発明の名称“ＭＥＴＨＯＤ ＡＮＤ ＡＰＰＡＲＡＴＵＳ ＦＯＲ ＨＩＧＨ ＲＡＴＥ ＰＡＣＫＥＴ ＤＡＴＡ ＴＲＡＮＳＭＩＳＳＩＯＮ ”、１９９７年１１月３日）に記載され、本発明の出願人に譲渡され、ここで参考文献とされている。ＨＤＲ通信システムは３８．４ｋｂｐｓから２．４Ｍｂｐｓの範囲のデータレートのセットを規定し、オリジナル端末（アクセスポイントＡＰ）はデータパケットを受信端末（アクセス端末ＡＴ）へ送信してもよい。ＨＤＲシステムは時間ドメインとコードドメインの両者で弁別されるチャンネルを有する波形を使用する。
【０００９】
図２は前述のＨＤＲシステムの順方向リンク波形後にモデル化された波形２００ を示している。波形２００ はフレーム２０２ に関して規定される（フレーム２０２Ａ、２０２Ｂ、２０２Ｃだけが図２に示されている）。例示的な実施形態では、フレームは１６のタイムスロット２０４ を有し、各タイムスロット２０４ は２０４８チップの長さであり、１．６７ミリ秒のスロット期間に対応し、結果として２６．６７ｍｓフレームの期間である。各スロット２０４ は２つの半スロット２０４Ａ、２０４Ｂに分割され、各半スロット２０４Ａ、２０４Ｂ内で送信されるパイロットバースト２０６Ａ、２０６Ｂを有する。例示的な実施形態では、各パイロットバースト２０６Ａ、２０６Ｂは９６チップの長さであり、その関連する半スロット２０４Ａ、２０４Ｂの中間点を中心とする。パイロットバースト２０６Ａ、２０６Ｂはインデックス０を有するウォルシュカバーによりカバーされるパイロットチャンネル信号を含む。パイロットチャンネルは同期目的に使用される。順方向媒体アクセス制御チャンネル（ＭＡＣ）２０８ はそれぞれ長さ６４チップの２つのバースト２０８Ａと２つのバースト２０８Ｂを形成する。ＭＡＣバースト２０８Ａ、２０８Ｂは各スロット２０４ のパイロットバースト２０６Ａ、２０６Ｂの直前と直後に送信される。例示的な実施形態では、ＭＡＣは６３までのコードチャンネルからなり、これらは６４のウォッシュコードにより直交的にカバーされる。各コードチャンネルはＭＡＣインデックスにより識別され、これは０と６３の間の値を有し、特有の６４のウォルシュカバーを識別する。ＭＡＣインデックス０と１が確保される。逆方向パワー制御チャンネル（ＲＰＣ）は各加入者局の逆方向リンク信号のパワーを調節するために使用される。ＲＰＣはＭＡＣインデックス５−６３を有する有効なＭＡＣの１つに割当てられる。ＭＡＣインデックス４を有するＭＡＣは逆アクティビティチャンネル（ＲＡ）用に使用され、これは逆方向トラフィックチャンネルにおけるフロー制御を行う。順方向リンクトラフィックチャンネルと制御チャンネルペイロードは第１の半スロット２０４Ａの残りの部分２１０Ａと、第２の半スロット２０４Ｂの残りの部分２１０Ｂで送信される。順方向トラフィックチャンネルと制御チャンネルデータはエンコードされ、スクランブルされ、インターリーブされる。インターリーブされたデータは必要に応じて、変調され、反復され、パンクチャされる。その後、結果的な変調シンボルのシーケンスは１６対（同位相および直角位相）の並列ストリームを形成するためデマルチプレクスされる。各並列ストリームは異なる１６のウォルシュカバーでカバーされ、コードの識別されるチャンネル２１２ を生成する。
【００１０】
理想的な波形２００ はその後、直交拡散され、バンドパス濾波され、搬送波周波数に上方変換される。結果的な変調された波形２００ は以下のように表される。
【数２０】
2004537874.tif 000007
ここで、ωｃ は波形の公称上の搬送波周波数であり、
ｉ（ｔ）はコードチャンネルのインデックスである。インデックスは複数のコードチャンネルが時間で変化するので時間依存性であり、
Ｒｉ （ｔ）は理想的なｉ番目のコードチャンネルの複素数エンベロープで、次式で与えられ、
【数２１】
2004537874.tif 000008
ここで、ａｉ はｉ番目のコードチャンネルの振幅であり、
ｇ（ｔ）はベースバンド送信フィルタのユニットパルス応答特性であり、
φｉ，ｋ はディスクリートな時間ｔｋ ＝ｋＴｃで生じるｉ番目のコードチャンネルのｋ番目のチップの位相であり、
ｔｃはチップ期間である。
ＨＤＲ通信システムの送信機は次式のように与えられる実際の波形ｘ（ｔ）を発生する。【数２２】
2004537874.tif 000009
ここで、ｂｉ はｉ番目のコードチャンネルの理想的な波形に関する理想的な波形の振幅であり、
τｉ はｉ番目のコードチャンネルの理想的な波形に関する理想的な波形の時間オフセットであり、
Δωは信号のラジアン周波数オフセットであり、
θｉ はｉ番目のコードチャンネルの理想的な波形に関する理想的な波形の位相オフセットであり、
Ｅｉ （ｔ）はｉ番目のコードチャンネルの実際の送信信号のエラー（理想からの偏差）の複素数エンベロープである。
【００１１】
波形２００ の複素数時間ドメインとコードドメインのチャンネル化に基づいて、コードドメインチャンネル化に基づく波形品質測定方法は適用可能ではない。結果として、時間ドメインとコードドメインの両者でチャンネル化された波形の波形品質測定方法および装置が技術で必要とされている。
【００１２】
【課題を解決するための手段】
本発明は波形品質測定の優秀な方法および装置に関する。この方法にしたがって、時間ドメインおよびコードドメインの両者においてチャンネルに分割された波形を表す実際の信号が発生される。例えば通信システムによりこのような実際の波形が発生されることができる。試験装置は実際の波形に対応する理想的な波形を発生する。その後、試験装置は実際の波形と理想的な波形のパラメータ間のオフセットの評価値を発生し、実際の波形を補償するためにこのオフセットを使用する。１実施形態では全体的な変調の正確度は補償された理想的な波形と理想的な波形にしたがって評価される。
【００１３】
別の実施形態では、波形の特定の時分割チャンネルの変調の正確度が評価される。補償された実際の波形は特定の時分割チャンネルを与えるために処理される。１つの構成では、処理は補償された実際の信号を、特定の時分割チャンネルが規定されているインターバルではゼロではなく他ではゼロではない値に割当てることを含んでいる。別の構成では、処理は特定の時分割分割チャンネルが規定されているインターバルではゼロではなく、その他ではゼロである値を有する関数による補償された実際の波形の乗算を含んでいる。１つの構成では、理想的な波形は同一方法で処理される。別の構成では、特定の時分割チャンネルを含んでいる理想的な波形は直接発生される。特定の時分割チャンネルの変調の正確度は処理され補償された実際の波形および処理された理想的な波形にしたがって評価される。
【００１４】
さらに別の実施形態では、特定のコードチャンネルのコードドメインパワー係数が評価される。補償された実際の波形の特定のコードチャンネルを含んでいる特定の時分割チャンネルは前述の方法にしたがって得られる。１つの構成では、理想的な波形は同一方法で処理される。別の構造では、特定の時分割チャンネルの特定のコードチャンネルを含む理想的な波形は直接発生される。特定の時分割チャンネルの変調正確度は処理され補償された実際の波形と処理された理想的な波形にしたがって評価される。
【００１５】
【発明の実施の形態】
本発明の特徴、目的、利点は図面を伴った以下の詳細な説明から明白になるであろう。同一の参照符号は全体を通じて対応して識別されている。
【００１６】
図３は図２からの例示的な波形２００ のような時間ドメインとコードドメインとの両者でチャンネル化された波形の波形品質測定を実行できる装置の概念を示している。
【００１７】
１実施形態では、（図２からの波形２００ を表す）実際の信号ｘ（ｔ）は補償ブロック３０２ に入る。補償ブロック３０２ にはまた最適化ブロック３０４ からの理想的な波形ｓ（ｔ）に関する実際の波形ｘ（ｔ）のオフセットの評価値を与えられる。補償ブロック３０２ は補償された波形ｙ（ｔ）を与えるためにオフセット評価値を使用する。補償された波形ｙ（ｔ）は下方変換ブロック３０６ に与えられる。下方変換された信号はその後、随意的なサンプリングブロック３０８ へ与えられる。サンプルされた波形ｚｓ ［ｋ］は随意的なベースバンド変換ブロック３１０ へ与えられる。随意的なベースバンド変換ブロック３１０ からの出力波形ｚ［ｋ］は処理ブロック３１２ へ与えられる。
【００１８】
１実施形態では、理想的な波形ｓ（ｔ）は信号発生器３１４ により発生される。理想的な信号波形ｓ（ｔ）は随意的なサンプリングブロック３１６ へ与えられる。サンプルされた波形ｓｓ ［ｋ］は随意的なベースバンド変換ブロック３１８ へ与えられる。随意的なベースバンド変換ブロック３１８ からの出力波形ｒ［ｋ］は処理ブロック３１２ へ与えられる。別の実施形態では、信号発生器３１４ はデジタル波形ｒ［ｋ］を直接発生する。それ故、このような実施形態では、サンプリングブロック３１６ および随意的なベースバンド変換ブロック３１８ は必要とされない。
【００１９】
処理ブロック３１２ は波形特性を計算するために信号ｚ［ｋ］とｒ［ｋ］を使用する。
【００２０】
前述したように、実際の波形ｘ（ｔ）は周波数、時間、位相について理想的な波形ｓ（ｔ）からオフセットされている。理想的な波形ｓ（ｔ）からオフセットされる実際の波形間の最良の整列について波形品質測定が決定される。したがって、波形品質測定は、周波数、時間、位相オフセットの複数の組合わせで評価され、このような評価の最大値は性能指数として採用される。最適化ブロック３０４ の機能は周波数、時間、位相オフセットの複数の組合わせを発生することである。
【００２１】
補償ブロック３０２ の機能は式７で与えられた補償された波形ｙ（ｔ）を与えるために波形ｘ（ｔ）について動作することである。
【数２３】
2004537874.tif 000010
ここで、Δ＾ωは信号ｓ（ｔ）に関する信号ｘ（ｔ）のラジアン周波数オフセットの評価値であり、
＾τ０ は信号ｓ（ｔ）に関する信号ｘ（ｔ）の時間オフセットの評価値であり、＾θ０ は信号ｓ（ｔ）に関する信号ｘ（ｔ）の位相オフセットの評価値である。Δ＾ω、＾τ０ 、＾θ０ は最適化ブロック３０４ により補償ブロック３０２ に与えられる。
【００２２】
前述したように、波形ｘ（ｔ）は搬送波周波数に上方変換され、下方変換ブロック３０６ の目的は補償された波形ｙ（ｔ）をベースバンド波形ｚ（ｔ）に下方変換することである。
【００２３】
１実施形態では、随意的なサンプラブロック３０８ は理想的なサンプリング点ｔｋ で波形ｚ（ｔ）をサンプリングすることにより波形ｚ（ｔ）のディスクリートなバージョンｚ［ｋ］を生成する。
【数２４】
2004537874.tif 000011
別の実施形態では、随意的なサンプラブロック３０８ は省略され、サンプリングはベースバンド変換後に処理ブロック３１２ により実行される。
【００２４】
前述したように、波形２００ は送信前にベースバンド濾波される。したがって、随意的なベースバンド変換ブロック３１０ は送信機フィルタにより誘発されるシンボル間干渉（ＩＳＩ）を除去するために使用される。これを実現するため、ベースバンド変換ブロック３１０ の伝達関数は理想的な送信機フィルタの伝達関数の逆複素数共役である。
【００２５】
処理ブロック３１２ は以下詳細に説明するように必要な波形品質測定を与えるため信号ｚ［ｋ］とｒ［ｋ］について動作する。１実施形態では、随意的なサンプラブロック３０８ が省略されるとき、処理ブロック３１２ は式９にしたがって、理想的なサンプリング点ｔｋ で信号ｚ（ｔ）をサンプリングすることにより信号ｚ（ｔ）のディスクリートなｚ［ｋ］バージョンを生成する。
【００２６】
前述の装置を考慮すると、当業者はブロック図を波形ｘ（ｔ）とｓ（ｔ）の異なる表示に変更することができる。例えば波形ｘ（ｔ）がデジタルドメインのベースバンド信号として表示されるならば、下方変換ブロック３０６ と随意的なサンプリングブロック３０８ は存在する必要はない。さらに、波形ｘ（ｔ）が濾波されないならば、随意的なベースバンドブロック３１０ は存在する必要はない。さらに当業者は、実行される測定のタイプにしたがってブロック図を変更することができる。例えば、ベースバンドフィルタの効果が確証されるならば、ベースバンド変換ブロック３１０ と３１８ は省略され、したがって処理ブロック３１２ は理想的な波形とサンプリングブロック３０８ と３１６ からの理想的な波形を与えられる。
【００２７】
［変調の正確度測定］
変調の正確度は送信機が波形の少なくとも１つのチャンネルにより変調されるとき、理想的な波形ｒ［ｋ］と相関する実際の波形ｚ［ｋ］のパワーのフラクションとして規定される。
【００２８】
全体的な変調正確度は送信機が波形中の全てのチャンネルにより変調されるとき、理想的な波形ｒ［ｋ］と相関する実際の波形ｚ［ｋ］のパワーのフラクションとして規定される。ＨＤＲ通信システムの例示的な実施形態では、これらのチャンネルはパイロットチャンネル、ＭＡＣチャンネル、順方向トラフィックまたは制御チャンネルを含んでいる。第１の全体的な波長正確度は次式のように規定される。
【数２５】
2004537874.tif 000012
ここで、ρｏｖｅｒａｌｌ−１ は第１の全体的な変調正確度であり、
ｊは波形の基本ユニットを指定するインデックスであり、
Ｎは基本ユニットの数を指定する加算限度であり、
ｋは基本ユニットの１サンプルを指定するインデックスであり、
Ｍは基本ユニットのサンプル数を指定する加算限度であり、
Ｚｊ，ｋ ＝ｚ［Ｍ（ｊ−１）＋ｋ］は実際の波形のｊ番目の基本ユニットのｋ番目のサンプルであり、
Ｒｊ，ｋ ＝ｒ［Ｍ（ｊ−１）＋ｋ］は理想的な波形のｊ番目の基本ユニットのｋ番目のサンプルである。
基本ユニットは完全なチャンネル構造を規定する最小の波形スパンとして規定される。加算限度Ｎの値は測定の雑音変動が必要な値よりも下であるように選択される。
【００２９】
式１０をＨＤＲシステムの順方向リンクの波形２００ に適用すると、基本ユニットは半スロットであり、結果として加算限度Ｍ＝１０２４である。第１のサンプルｚ（ｔ１ ）は半スロットの第１のチップで生じ、最終的なサンプルｚ（ｔ１０２４Ｎ ）は半スロットの最後のチップで生じる。加算限度Ｎの値は少なくとも２に決定される。
【００３０】
第１の全体的な変調正確度は基本ユニットのボーダの波形のパラメータの可能な不連続性を説明できない。結果として、第２の全体的な変調正確度は次式のように規定される。
【数２６】
2004537874.tif 000013
ここで、ρｏｖｅｒａｌｌ−２ は第２の全体的な変調正確度であり、
ｊは波形の基本ユニットを指定するインデックスであり、
Ｎは基本ユニットの数を指定する加算限度であり、
ｋは基本ユニットの１サンプルを指定するインデックスであり、
Ｍは基本ユニットのサンプル数を指定する加算限度であり、
Ｚｊ，ｋ ＝ｚ［（Ｍ＋（Ｍ／２）＋１）・（ｊ−１）＋ｋ］は実際の波形のｊ番目の基本ユニットのｋ番目のサンプルであり、
Ｒｊ，ｋ ＝ｒ［（Ｍ＋（Ｍ／２）＋１）・（ｊ−１）＋ｋ］は理想的な波形のｊ番目の基本ユニットのｋ番目のサンプルである。
【００３１】
式１１をＨＤＲシステムの順方向リンクの波形２００ に適用すると、基本ユニットは半スロットであり、結果として加算限度Ｍ＝１０２４である。第１のサンプルｚ（ｔ５３１ ）は半スロットの５１３番目のチップで生じ、最終的なサンプルｚ（ｔ１５３６Ｎ ）は最後の半スロットの５１３番目のチップで生じる。加算限度Ｎの値は少なくとも２に決定される。
【００３２】
時分割チャンネル（ＴＤ チャンネル）変調正確度は、送信機が波形の特定のＴＤ チャンネルにより変調されるとき理想的な波形ｒ［ｋ］と相関する実際の波形ｚ［ｋ］のパワーのフラクションとして規定される。ＨＤＲ通信システムの例示的な実施形態では、チャンネルはパイロットチャンネル、ＭＡＣチャンネル、順方向トラフィックまたは制御チャンネルを含んでいる。ＴＤ チャンネル変調正確度は次式のように規定される。
【数２７】
2004537874.tif 000014
ここで、ρＴＤ ｃｈａｎｎｎｅｌはインデックスＴＤ チャンネルにより識別される時分割チャンネルの変調正確度であり、
ｊは波形の基本ユニットを指定するインデックスであり、
Ｎは基本ユニットの数を指定する加算限度であり、
ｋは基本ユニットの１サンプルを指定するインデックスであり、
Ｍは基本ユニットのサンプル数を指定する加算限度であり、
Ｚｊ，ｋ ＝ｚ［Ｍ（ｊ−１）＋ｋ］は実際のＴＤ チャンネルのｊ番目の基本ユニットのｋ番目のサンプルであり、
Ｒｊ，ｋ ＝ｒ［Ｍ（ｊ−１）＋ｋ］は理想的なＴＤ チャンネルのｊ番目の基本ユニットのｋ番目のサンプルである。
【００３３】
特定のＴＤ チャンネルを得るための実際の波形ｚ［ｋ］と理想的な波形ｒ［ｋ］との処理の概念を次に説明する。関数ｇＴＤ ｃｈａｎｎｎｅｌは以下のように規定される。
【数２８】
2004537874.tif 000015
ここで、ｐ＝１，２，…ｎでは、ｍｐ ≦（ｋｍｏｄＬ≦ｍｐ＋１ ）は波形が特定のＴＤ チャンネルでゼロではない場合のインターバルと、信号ｚ［ｋ］の基本ユニットのＬ個のインターバルとを規定している。したがって、実際の波形ｚ［ｋ］と理想的な波形ｒ［ｋ］は関数ｇＴＤ ｃｈａｎｎｎｅｌ［ｋ］により乗算され、特定のＴＤ チャンネルを生成する。
ｚ’ ［ｋ］＝ｚ［ｋ］・ｇＴＤ ｃｈａｎｎｎｅｌ［ｋ］
ｒ’ ［ｋ］＝ｒ［ｋ］・ｇＴＤ ｃｈａｎｎｎｅｌ［ｋ］              （１４）
当業者は概念の構成が変化できることを理解するであろう。１実施形態では、処理は、特定の時分割チャンネルが規定されるインターバルではゼロではなくその他の場合ではゼロである値を有する関数による波形の乗算として実行される。別の実施形態では、処理は波形を特定の時分割チャンネルの場合のインターバルではゼロではなく、その他の場合にはゼロである値に波形を割当てることを含んでいる。さらに別の実施形態では、式（１２）を実行する処理ユニットは以下のように内部和を実行するように構成される。
【数２９】
2004537874.tif 000016
ここで、ｐ＝１，２，…ｎに対して、ｍｐ ≦（ｋｍｏｄＬ≦ｍｐ＋１ ）は波形が特定のＴＤ チャンネルでゼロではない場合のインターバルと、信号ｚ［ｋ］とｒ［ｋ］の基本ユニットのＬ個のインターバルとを規定している。
【００３４】
［コードドメイン測定］
コードドメインパワーは送信機が既知のコードシンボルシーケンスにしたがって変調されるとき各コードチャンネルＲｉ （ｔｋ ）と相関する信号ｚ（ｔｋ ）のパワーのフラクションとして規定される。各コードチャンネルＲｉ （ｔｋ ）を得るために波形を処理する概念を次に説明する。第１に、各コードチャンネルＲｉ （ｔｋ ）を含んでいる特定のＴＤ チャンネルが得られ、先に概説した方法を利用する。例えば式１３は特定のＴＤ チャンネルで関数ｇＴＤ ｃｈａｎｎｎｅｌ［ｋ］を得るために使用される。関数ｇＴＤ ｃｈａｎｎｎｅｌ［ｋ］はその後、以下の波形を得るために、実際の波形ｚ［ｋ］と、理想的な信号ｒ［ｋ］のｉ番目のコードチャンネルＲｉ ［ｋ］とについて演算するように使用される。
ｚ’ ［ｋ］＝ｚ［ｋ］・ｇＴＤ ｃｈａｎｎｎｅｌ［ｋ］
Ｒｉ ’ ［ｋ］＝Ｒｉ ［ｋ］・ｇＴＤ ｃｈａｎｎｎｅｌ［ｋ］ｃ（１６）
特定のＴＤ チャンネルの波形品質コードドメインパワー係数ρＴＤ ｃｈａｎｎｅｌ，ｉ はその後、以下のように各コードチャンネルＲｉ （ｔｋ ）で規定される。
【数３０】
2004537874.tif 000017
ここで、ρＴＤＭ  ｃｈａｎｎｎｅｌ，ｉはインデックスＴＤ チャンネルにより識別される時分割チャンネルと、インデックスｉにより識別されるコードチャンネルＲｉ ［ｋ］に対するコードドメイン係数であり、
ｗ１ は時分割チャンネルＴＤＭ チャンネルの第１のコードチャンネルであり、
ｗＶ は時分割チャンネルＴＤＭ チャンネルの最後のコードチャンネルであり、
ｊは波形の基本ユニットを指定するインデックスであり、
Ｎは基本ユニット数を指定した加算限度であり、
ｋは基本ユニットの１サンプルを指定したインデックスであり、
Ｍは基本ユニットのサンプル数を指定する加算限度であり、
Ｚｊ，ｋ ＝ｚ［Ｍ（ｊ−１）＋ｋ］は濾波された信号のｊ番目の基本ユニットのｋ番目のサンプルであり、
Ｒ’ ｉ，ｊ，ｋ ＝Ｒ’ ｉ ［Ｍ（ｊ−１）＋ｋ］は理想的な信号のｉ番目のコードチャンネルのｊ番目の基本ユニットのｋ番目のサンプルである。
【００３５】
例えば、ＨＤＲシステムの順方向リンクの波形２００ のρＭＡＣ，ｉ を評価するために前述の方法を適用すると、基本ユニットは半スロットであり、したがって加算限度Ｍ＝１０２４である。式（１３）および図２から以下のことが言える。
【数３１】
2004537874.tif 000018
ここで、（ｋｍｏｄ  １０２４）＝１は半スロット毎に第１のチップで生じる。その後、式（１６）から次式が得られる。
ｚ’ ［ｋ］＝ｚ［ｋ］・ｇＭＡＣ ［ｋ］
Ｒｉ ’ ［ｋ］＝Ｒｉ ［ｋ］・ｇＭＡＣ ［ｋ］              （１９）
以下のコードドメインパワー係数ρＭＡＣ，ｉ は式（１７）によりＭＡＣチャンネルに対して規定される。
【数３２】
2004537874.tif 000019
【００３６】
ｉ≠４に対してρＭＡＣ，ｉ の測定のＮ値は少なくとも１６に決定されている。第１のサンプルｚ（ｔ１ ）は半スロットの第１のチップで生じ、最終的なサンプルｚ（ｔ１０２４Ｎ ）は半スロットの最後のチップで生じる。
【００３７】
当業者はここで説明した実施形態を伴って説明する種々の例示された論理ブロック、モジュール、回路、アルゴリズムステップが電子ハードウェア、コンピュータソフトウェア、またはそれらの組合わせとして実行されてもよいことを理解するであろう。種々の例示されたコンポーネント、ブロック、モジュール、回路、ステップは一般的にそれらの機能に関して説明されている。機能がハードウェアまたはソフトウェアの何れで実行されるかはシステム全体に課された特定のアプリケーションおよび設計制約に基づいている。当業者はこれらの状態下でハードウェアおよびソフトウェアの互換性と、その各特定のアプリケーションで説明した機能の実行がどれだけ最良であるかを認識するであろう。
【００３８】
例として、ここで説明した実施形態に関連して説明した種々の例示された論理ブロック、モジュール、回路、アルゴリズムステップは、デジタル信号プロセッサ（ＤＳＰ）、特定用途用集積回路（ＡＳＩＣ）、フィールドプログラム可能なゲートアレイ（ＦＰＧＡ）または他のプログラム可能な論理装置、ディスクリートなゲートまたはトランジスタ論理装置、例えばレジスタおよびＦＩＦＯ等のディスクリートなハードウェアコンポーネント、１組のファームウェア命令を実行するプロセッサ、またはその任意の組合わせで実行または構成されてもよい。プロセッサはマイクロプロセッサであることが有効であるが、代わりとして、プロセッサは任意の通常のプロセッサ、制御装置、マイクロ制御装置または状態マシンであってもよい。ソフトウェアモジュールはＲＡＭメモリ、フラッシュメモリ、ＲＯＭメモリ、レジスタ、ハードディスク、取外し可能なディスク、ＣＤ−ＲＯＭまたは技術で知られている任意の他の形態の記憶媒体中に存在する。当業者は先の説明を通して参照されているデータ、命令、コマンド、信号、ビット、シンボル、チップが電圧、電流、電磁波、磁界または粒子、光フィールドまたは粒子、或いは任意のその組合わせにより有効に表されることをさらに認識するであろう。
【００３９】
波形品質の測定を例示するための通信システムを使用する好ましい実施形態の先の説明は、当業者が本発明を実行または使用することを可能にするために行った。これらの実施形態に対する種々の変更は当業者に容易に明白であり、ここで規定した一般原理は発明力を使用せずに他の実施形態に応用されてもよい。特に、当業者は説明した一般原理が波形を生成する装置にかかわりなく任意の類似の波形に同等に応用することを理解するであろう。したがって本発明はここで示した実施形態に限定されるのではなく、ここで説明した原理および優秀な特徴と一貫した最も広い技術的範囲にしたがうことを意図している。
【図面の簡単な説明】
【図１】
コード分割通信システムの理想化された波形図。
【図２】
ＨＤＲ通信システムの理想化された波形図。
【図３】
本発明の原理にしたがって波形品質測定を実行することのできる装置の概念図。
【図１】
2004537874.tif 000035
【図２】
2004537874.tif 000036
【図３】
2004537874.tif 000037
【国際公開パンフレット】
2004537874.tif 000038
2004537874.tif 000039
2004537874.tif 000040
2004537874.tif 000041
2004537874.tif 000042
2004537874.tif 000043
2004537874.tif 000044
2004537874.tif 000045
2004537874.tif 000046
2004537874.tif 000047
2004537874.tif 000048
2004537874.tif 000049
2004537874.tif 000050
2004537874.tif 000051
2004537874.tif 000052
2004537874.tif 000053
2004537874.tif 000054
2004537874.tif 000055
2004537874.tif 000056
2004537874.tif 000057
2004537874.tif 000058
2004537874.tif 000059
2004537874.tif 000060
2004537874.tif 000061
2004537874.tif 000062
2004537874.tif 000063
2004537874.tif 000064
2004537874.tif 000065
2004537874.tif 000066
2004537874.tif 000067
2004537874.tif 000068
2004537874.tif 000069
2004537874.tif 000070
【国際公開パンフレット（コレクトバージョン）】
2004537874.tif 000071
【国際調査報告】
2004537874.tif 000072
2004537874.tif 000073